(57)【要約】【課題】カバーの装着時に取得した情報を、ユーザに操作を強いることなく設定情報として反映させ、装着したカバーに対応して設定を容易に変更する。【解決手段】携帯端末装置１１は、筐体表面に着脱自在に装着するカバー２１と通信する外部インタフェース１０１と、各種機能の実行を制御するＣＰＵ１０２を備え、カバー２１を装着した際に、相互に接続された外部インタフェース１０１と外部インタフェース２０１を介して、カバー２１のメモリ２０２に記憶されているカスタムデータを取得し、これを参照することによって、待ち受け画像や着信音、操作音やアラーム等の出力音、メニューアイコンのデザイン、ＬＥＤの点滅パターン、各種アプリケーションに利用される文字のフォント種別等を設定情報としてユーザに選択可能に提示する。【選択図】図１
2007228275.tif 000002
【特許請求の範囲】
【請求項１】
カバーを筐体表面に着脱自在に装着する携帯端末装置であって、
前記カバーと通信するインタフェース部と、
当該携帯端末装置における各種機能の実行を制御する制御部と、を備え、
前記インタフェース部は、前記カバーが有する記憶部から当該携帯端末装置における各種機能を実行する際に、参照することが可能である参照情報を取得し、
前記制御部は、前記インタフェース部によって取得した参照情報を参照することにより、当該携帯端末装置における各種機能を実行する、
携帯端末装置。
【請求項２】
請求項１に記載の携帯端末装置であって、
前記参照情報は、当該携帯端末装置における各種機能の実行に際して、直接利用することが可能なデータである、
携帯端末装置。
【請求項３】
請求項１に記載の携帯端末装置であって、
前記参照情報は、当該携帯端末装置において利用することが可能なデータを取得するためのキーデータであり、
前記制御部は、前記インタフェース部によって取得したキーデータを参照して、当該携帯端末装置における各種機能の実行時に利用するための実行データを取得し、当該実行データを参照することにより当該携帯端末装置における各種機能を実行する、
携帯端末装置。
【請求項４】
請求項３に記載の携帯端末装置であって、
前記カバーを識別する識別部と、
前記識別部によって識別した識別情報と、前記実行データと、を対応付けて記憶する記憶部と、を備え、
前記制御部は、前記識別部によって識別した識別情報が既に前記記憶部に記憶されている場合、その識別情報に対応する前記実行データを読み出すとともに、当該実行データを参照して、当該携帯端末装置における各種機能を実行する、
携帯端末装置。
【請求項５】
請求項１から４のいずれか１項に記載の携帯端末装置であって、
前記制御部は、前記インタフェース部によって取得した参照情報を参照して、少なくともＬＥＤによる点灯機能または点滅機能、および表示部による表示機能を含む、駆動機能を有するカバーの駆動状態を制御する、
携帯端末装置。
【請求項６】
携帯端末装置における筐体表面に着脱可能なカバーであって、
前記携帯端末装置と通信するインタフェース部と、
前記携帯端末装置が各種機能を実行する際に参照すべき参照情報を記憶する記憶部と、
を備えるカバー。
【発明の詳細な説明】
【技術分野】
【０００１】
本発明は、筐体表面に着脱自在に装着するカバーを備えた携帯端末装置に関する。
【背景技術】
【０００２】
携帯電話等の携帯端末装置は多くのユーザに所有されているが、近年は、年齢や個人の好みによって色やデザイン等の外装を選択できる機種が増えている。しかし、ユーザの好みは多様であり、すべてを満足させることは困難である。
【０００３】
そこで、多様なニーズに応えるべく、色やデザインの異なる数種類のカバーを用意し、好みのカバーを選択して筐体表面に着脱自在に装着することを可能にした携帯電話が提案されている（例えば、特許文献１参照）。
【０００４】
しかしながら、上述した携帯電話は、カバーを交換してもその効果は装飾的だけに留まり、交換したカバーから情報を得る等の機能的な要素がないため、ユーザに飽きられ易いという問題がある。これを解決するものとして、ユーザの好みによって選択したカバーを携帯端末装置の筐体表面に装着した際に、カバーの一部に印刷されたＱＲコードを読み取り、コードで指定されたＵＲＬに自動的にアクセスすることによって、装着したカバーに最適な待ち受け画像の情報を取得するようにした携帯電話の例がある（例えば、非特許文献１参照）。
【特許文献１】実願平１１−８２５号公報
【非特許文献１】ＦＯＭＡ  Ｐ９０２ｉ  カスタムジャケットＰ０４  取扱説明書
【発明の開示】
【発明が解決しようとする課題】
【０００５】
しかしながら、非特許文献１に記載された携帯電話では、装着したカバーに対応して取得した情報（以下、カスタムデータと称する）を携帯電話の設定情報（ここで携帯電話の設定情報とは、携帯電話のディスプレイに待ち受け時に表示する待ち受け画像や、携帯電話による着信時に音出力する着信音や、携帯電話のディスプレイに表示する文字のフォント種別またはマークのデザインなどの、携帯電話が有する機能を実行するときに参照する情報を指すものとする）とするためにユーザの操作を必要とし、ユーザがこの操作を行うことにより初めて取得した情報が当該携帯電話の設定情報として反映される。従って、ユーザは操作を強いられるという煩わしさがある。
【０００６】
本発明は、上記の事情に鑑みてなされたものであって、カバーの装着時に取得した情報を、ユーザに操作を強いることなく設定情報として反映させることのできる携帯端末装置、およびカバーを提供することを目的とする。
【課題を解決するための手段】
【０００７】
本発明に係る携帯端末装置は、カバーを筐体表面に着脱自在に装着する携帯端末装置であって、前記カバーと通信するインタフェース部と、当該携帯端末装置における各種機能の実行を制御する制御部と、を備え、前記インタフェース部は、前記カバーが有する記憶部から当該携帯端末装置における各種機能を実行する際に、参照することが可能である参照情報を取得し、前記制御部は、前記インタフェース部によって取得した参照情報を参照することにより、当該携帯端末装置における各種機能を実行するものである。
【０００８】
本発明に係るカバーは、携帯端末装置における筐体表面に着脱可能なカバーであって、前記携帯端末装置と通信するインタフェース部と、前記携帯端末装置が各種機能を実行する際に参照すべき参照情報を記憶する記憶部と、を備えるものである。
【０００９】
この構成により、カバーを装着した際に、待ち受け画像や着信音、操作音やアラーム等の出力音、各種機能を設定するためのメニューアイコンのデザイン、ＬＥＤの点滅パターン、各種アプリケーションに利用される文字のフォント種別等を、ユーザに操作を強いることなく携帯端末装置の設定情報として反映させることができる。
【００１０】
また、本発明の一態様として、上記の携帯端末装置において、前記参照情報は、当該携帯端末装置における各種機能の実行に際して、直接利用することが可能なデータであるものも含まれる。
【００１１】
この構成により、カバーを装着した際に、画像データや音声データ等を、ユーザに操作を強いることなく自動的に読み出してデータ処理に利用することができる。
【００１２】
さらに、本発明の一態様として、上記の携帯端末装置において、前記参照情報は、当該携帯端末装置において利用することが可能なデータを取得するためのキーデータであり、前記制御部は、前記インタフェース部によって取得したキーデータを参照して、当該携帯端末装置における各種機能の実行時に利用するための実行データを取得し、当該実行データを参照することにより当該携帯端末装置における各種機能を実行するものも含まれる。
【００１３】
この構成により、カバーを装着した際に、ＵＲＬ等のキーデータを読み出して参照し、携帯端末装置におけるデータ処理に利用するためのデータを、ユーザに操作を強いることなく取得することができる。
【００１４】
また、本発明の一態様として、上記の携帯端末装置において、前記カバーを識別する識別部と、前記識別部によって識別した識別情報と、前記実行データと、を対応付けて記憶する記憶部と、を備え、前記制御部は、前記識別部によって識別した識別情報が既に前記記憶部に記憶されている場合、その識別情報に対応する前記実行データを読み出すとともに、当該実行データを参照して、当該携帯端末装置における各種機能を実行するものも含まれる。
【００１５】
この構成により、装着したカバーに対応したキーデータを読み出して参照し、携帯端末装置におけるデータ処理に利用するためのデータを、ユーザに操作を強いることなく取得することができる。
【００１６】
また、本発明の一態様として、上記の携帯端末装置において、前記制御部は、前記インタフェース部によって取得した参照情報を参照して、少なくともＬＥＤによる点灯機能または点滅機能、および表示部による表示機能を含む、駆動機能を有するカバーの駆動状態を制御するものも含まれる。
【００１７】
この構成により、カバーを装着した際に、カバーに備えたＬＥＤの点灯・点滅やカバーの振動、カバーに備えたディスプレイの表示等を、ユーザに操作を強いることなく制御することができる。
【発明の効果】
【００１８】
本発明によれば、カバーの装着時に取得した情報を、ユーザに操作を強いることなく設定情報として反映させることのできる携帯端末装置、およびカバーを提供できる。
【発明を実施するための最良の形態】
【００１９】
以下、本発明に係る携帯端末装置の実施形態について、図面を用いて説明する。
【００２０】
図１は、本発明の実施形態に係る携帯端末装置と、携帯端末装置に着脱可能に装着されるカバーの構成を示すブロック図である。図１において、携帯端末装置１１は、カバー２１と接続して情報を通信する外部インタフェース１０１と、携帯端末装置１１の各部を統括制御するＣＰＵ１０２と、カバー２１から取得したカスタムデータ（特許請求の範囲における参照情報に対応する）やカスタムデータの所在を示す情報（例えばＵＲＬやＩＰアドレス。特許請求の範囲におけるキーデータに対応する）を記憶するメモリ１０３と、設定情報や電子メール等を表示する表示部１０４と、無線通信を行ってカスタムデータの所在を示す情報を基にカスタムデータを取得する無線部１０５と、着信音を鳴動したり、他の携帯端末装置との通話を行う音声部１０６と、を有する構成である。
【００２１】
カバー２１は、携帯端末装置１１と接続して情報を通信する外部インタフェース２０１と、カスタムデータやカスタムデータの所在場所を示す情報を保持するメモリ２０２と、を有する構成である。
【００２２】
図２〜図６は、このように構成された携帯端末装置１１及びカバー２１において、外部インタフェース１０１と外部インタフェース２０１の接続態様を示す模式図である。
【００２３】
図２は、携帯端末装置１１の筐体表面の一部に外部インタフェース１０１を設け、外部インタフェース１０１に対向する位置の装着するカバー２１表面に外部インタフェース２０１を設けた例である。これにより、携帯端末装置１１及びカバー２１を簡素に構成できる。
【００２４】
図３は、カバー２１を携帯端末装置１１に装着した際の両者を固定する部分に、外部インタフェース１０１及び外部インタフェース２０１を設けた例である。これにより、カバー２１を携帯端末装置１１により強固に固定することができると伴に、カバー２１を携帯端末装置１１に装着した際に外部インタフェース１０１、２０１を確実に接続することができる。
【００２５】
また、図４は、外部インタフェース１０１と外部インタフェース２０１の接続を、カバー２１と一体成形されたＳＤカード３１を用いて構成した例である。この場合は、カバー２１のメモリ２０２をＳＤカード３１で兼用し、ＳＤカード３１に備わる入出力部（コネクタ）を外部インタフェース２０１として利用するとともに、携帯端末装置１１の表面の一部に設けられたＳＤカード挿入口（図示せず）を外部インタフェース１０１として利用する。また、図５は、ＳＤカード３１に代えて、外部インタフェース１０１と外部インタフェース２０１の接続を、カバー２１と一体成形された、ＵＳＢコネクタや外部入出力コネクタによりデータ入出力可能なメモリカード４１を用いて構成した例である。この場合は、カバー２１のメモリ２０２をメモリカード４１で兼用し、メモリカード４１に備わる入出力部（ＵＳＢコネクタや外部入出力コネクタ）を外部インタフェース２０１として利用するとともに、携帯端末装置１１の表面の一部に設けられたＵＳＢ端子や外部入出力端子（図示せず）を外部インタフェース１０１として利用する。
【００２６】
図６は、カバー２１の一部にＲＦタグ５１を設けて外部インタフェース２０１とし、携帯端末装置１１の内部にＲＦ受信部６１を設けて外部インタフェース１０１とする例である。これらにより、非接触で情報を取得できるので、カバー２１を携帯端末装置１１に装着する際の取り扱いが容易になる。
【００２７】
本実施形態の携帯端末装置１１は、カバー２１を装着した際に、相互に接続された外部インタフェース１０１と外部インタフェース２０１を介して、カバー２１のメモリ２０２に予め保持されているカスタムデータを取得し、これを参照することにより、待ち受け画像や着信音、操作音やアラーム等の出力音、メニューアイコンのデザイン、ＬＥＤの点滅パターン、各種アプリケーションに利用される文字のフォント種別等を、設定情報としてユーザに選択可能に提示する。これによって、ユーザは装着したカバー２１に対応して容易に設定を変更することができる。また、カバー２１を携帯端末装置１１から取り外すことにより、変更された設定を自動的に解除したり、又は、デフォルトの状態に戻すことが可能となる。
【００２８】
図８〜図１２は、本実施形態に係る携帯端末装置１１の上述した機能を実現する際の、表示部１０４の表示画面を例示するものである。
【００２９】
まず、図７に示すように、カバー２１を携帯端末装置１１に装着して外部インタフェース１０１と外部インタフェース２０１が接続されると、図８（ａ）に示すような設定画面が表示され、このカバー２１から取得したカスタムデータに携帯端末装置１１の設定情報を切り替えて良いか否かの判断をユーザに促す（以下、カスタムデータに携帯端末装置１１の設定情報を切り替えることを、カスタム設定と称することがある）。
【００３０】
ユーザが図８（ａ）における表示画面の‘Ｙｅｓ’を選択すると、カバー２１のメモリ２０２からカスタムデータを取得し、そのカスタムデータに設定情報を切り替える。図８（ｂ）は、カスタム設定中であることを示す文言「データカスタマイズ中」を画面に表示している。そして、カスタム設定が完了すると、図８（ｃ）に示すように、カスタム設定が終了したことを示す文言「データカスタマイズ完了」を画面に表示し、表示部１０４の上端にカスタム設定されたことを示すマーク１０４ａを表示する。
【００３１】
以下、取得したカスタムデータによる携帯端末装置１１の設定情報の具体例について説明する。図９〜図１２は、図７に示すカバー２１を装着した携帯端末装置１１の表示部１０４に表示される画面を示すものである。
【００３２】
図９に示すメニュー画面において、図９（ａ）はカバー２１が装着されないときのデフォルト画面である。図９（ｂ）はカスタム設定によって設定されたメニューアイコンを表示したサンプル１の画面であり、図９（ｃ）は、メニューアイコンの配列を変更したサンプル２のメニュー画面を示すものである。図９（ｂ）、図９（ｃ）に示したメニューアイコン、メニュー画面は、図７に示すカバー２１のデザインに合わせたものであり、携帯端末装置１１の表示部１０４に操作時に表示されるデザインをカバー２１のデザインに調和させることができる。
【００３３】
図１０は、待ち受け画面の例である。図１０（ａ）に示すデフォルト画面から、カスタム設定された図１０（ｂ）に示すサンプル１の待ち受け画面を表示する。図１０（ｂ）に示した待ち受け画面は、図７に示すカバー２１のデザインに合わせたものであり、携帯端末装置１１の表示部１０４に待ち受け時に表示されるデザインをカバー２１のデザインに調和させることができる。
【００３４】
図１１は、着信画面の変更例である。図１１（ａ）に示すデフォルト画面から、カスタム設定された図１１（ｂ）に示すサンプル１の着信画面に変更する。なお、このとき着信音も同時に変更して鳴動させることが可能である。図１１（ｂ）に示した着信画面は、図７に示すカバー２１のデザインに合わせたものであり、携帯端末装置１１の表示部１０４に着信時に表示されるデザインおよび鳴動する着信音をカバー２１のデザインに調和させることができる。
【００３５】
また、図１２はメール作成画面を示す。図１２（ａ）に示すデフォルト画面から、図１２（ｂ）に示すサンプル１のメール作成画面へと変更する。デフォルト画面では、メール文が通常のフォント及びサイズで表示され、サンプル１の画面では、文字を太字で表示するとともに、下欄に変換候補選択欄を設けてメール作成の効率向上を図っている。図１２（ｂ）に示した着信画面は、図７に示すカバー２１のデザインに合わせたものであり、携帯端末装置１１の表示部１０４にメール作成時に表示される文字デザインをカバー２１のデザインに調和させることができる。
【００３６】
次に、本実施形態の携帯端末装置のカバー装着時、及び取り外し時の処理手順について説明する。図１３は、携帯端末装置にカバーを装着して接続し、カスタムデータを取得する際の処理手順を説明するためのシーケンス図である。
【００３７】
携帯端末装置１１の外部インタフェース１０１は、ポーリング、若しくは割り込み処理によって、カバー２１の外部インタフェース２０１の接続を常時監視している。携帯端末装置１１にカバー２１が装着され、外部インタフェース１０１に外部インタフェース２０１が接続されたことを検知すると（ステップＳ１０１）、この結果をＣＰＵ１０２に通知する（ステップＳ１０２）。
【００３８】
この通知を受けた携帯端末装置１１のＣＰＵ１０２は、カバー２１のメモリ２０２に対してデータ情報の取得を要求し（ステップＳ１０３）、メモリ２０２からデータ情報を取得する（ステップＳ１０４）。
【００３９】
次いで、ＣＰＵ１０２は、メモリ１０３に対してデータ情報の書き込みを要求し（ステップＳ１０５）、書き込みが完了したメモリ１０３からデータ書き込み完了通知を受け取って（ステップＳ１０６）、表示部１０４にデータ取得の可否を確認するためのデータ取得確認要求を送出する（ステップＳ１０７）。
【００４０】
表示部１０４は、データ取得の可否を選択する画面を表示し（ステップＳ１０８）、ユーザによってデータを取得する判断がなされると、これをＣＰＵ１０２に通知する（ステップＳ１０９）。
【００４１】
ＣＰＵ１０２は、この通知を受けてカバー２１のメモリ２０２に対してデータの取得を要求し（ステップＳ１１０）、メモリ２０２からデータを取得して（ステップＳ１１１）、メモリ１０３に書き込む（ステップＳ１１２）。そして、データの書き込みが完了したメモリ１０３は、ＣＰＵ１０２にデータの書き込みが完了したことを通知する（ステップＳ１１３）。
【００４２】
続いて、ＣＰＵ１０２は、表示部１０４にデータ設定の可否を確認するためのデータ設定確認要求を送出する（ステップＳ１１４）。
【００４３】
表示部１０４は、データ設定の可否を選択する画面を表示し（ステップＳ１１５）、ユーザによってデータを設定する判断がなされると、これをＣＰＵ１０２に通知する（ステップＳ１１６）。
【００４４】
ＣＰＵ１０２は、携帯端末装置１１の設定を変更する処理を行い（ステップＳ１１７）、設定が完了すると表示部１０４にこれを通知する。表示部１０４は、設定が完了したことを画面に表示して（ステップＳ１１８）、設定変更の通知を受け取り、画面に表示したことをＣＰＵ１０２に返す（ステップＳ１１９）。
【００４５】
一方、ステップＳ１０８で、ユーザがデータを取得しないと判断した場合（ステップＳ１２０）、及び、ステップＳ１０８でユーザがデータを設定しないと判断した場合（ステップＳ１２１）は、ＣＰＵ１０２に対してこれらの判断結果を通知する。
【００４６】
次に、携帯端末装置１１からカバー２１を取り外す際のデータ取り扱い処理手順について説明する。図１４は、携帯端末装置１１からカバー２１を取り外す際のデータ取り扱い処理手順を説明するためのシーケンス図である。
【００４７】
まず、カバー２１を携帯端末装置１１から取り外すことによって、外部インタフェース１０１と外部インタフェース２０１との接続が断たれると（ステップＳ２０１）、外部インタフェース１０１はこれを検知してＣＰＵ１０２に通知する（ステップＳ２０２）。
【００４８】
ＣＰＵ１０２は、これを受けて携帯端末装置１１におけるカスタムデータの設定を確認する処理を行い（ステップＳ２０３）、その変更が不要であるか否かを判定する（ステップＳ２０４）。判定の結果、カスタムデータの設定変更が必要と判定された場合は、メモリ１０３に対してデータ情報の取得を要求し（ステップＳ２０５）、データ情報を取得する（ステップＳ２０６）。
【００４９】
次いで、ＣＰＵ１０２は、取得したデータ情報に基づいてデータの消去が必要であるか否かを判定し（ステップＳ２０７）、データの消去が必要であると判定した場合は、メモリ１０３に対してデータの消去を要求する（ステップＳ２０８）。そして、メモリ１０３からデータの消去が完了した旨の通知を受け取る（ステップＳ２０９）。
【００５０】
続いて、ＣＰＵ１０２は、表示部１０４にデータ消去の可否を確認するためのデータ消去確認を要求する（ステップＳ２１０）。表示部１０４は、データ消去の可否を選択する画面を表示し（ステップＳ２１１）、ユーザによってデータを消去する判断がなされると、メモリ１０３に対してデータの消去を要求する（ステップＳ２１２）。一方、データを消去しないと判断された場合は、この結果をＣＰＵ１０２に通知する（ステップＳ２１３）。
【００５１】
次いで、ＣＰＵ１０２は、メモリ１０３に対してデータ情報の更新を要求し（ステップＳ２１４）、メモリ１０３からデータ情報の更新が完了した旨の通知を受け取る（ステップＳ２１５）。
【００５２】
また、ステップＳ２０４の処理手順で携帯端末装置１１におけるカスタムデータの変更が不要であるとあると判定された場合は、この結果をＣＰＵ１０２に返す（ステップＳ２１６）。
【００５３】
次に、携帯端末装置１１の表示部１０４に表示されたカスタムデータの選択画面において、グレーアウト表示の処理手順について説明する。図１５は、グレーアウト表示の処理手順を説明するためのフローチャートである。なお、グレーアウト表示とは、入力処理や選択処理を行うべきチェックボックスやテキストボックス、ボタンなどが薄いグレーで表示され、ユーザが入力操作や選択操作をすることができない状態のことである。本発明に係る携帯端末装置では、カスタムデータを既に取得済みのカバー２１を外している時には、このカスタムデータを手動で設定情報に変更しようとしてもこのカスタムデータがグレーアウト表示されるために選択できない状態にあることを指している。
【００５４】
まず、ステップＳ３０１において、ＣＰＵ１０２は、携帯端末装置１１の着信音等の設定変更時における表示部１０４の選択画面で、携帯端末装置１１の内部に存在する全設定情報を確認する。
【００５５】
次いで、ＣＰＵ１０２は、確認した設定情報の中にカスタムデータ（Ａ）が含まれているか否かを判定し（ステップＳ３０２）、存在している場合は、接続中のカバー２１のメモリ２０２に保持されている内容と一致するか否かを判定する（ステップＳ３０３）。一方、ステップＳ３０２において、カスタムデータ（Ａ）が設定情報の中に含まれていないと判定された場合は、処理を終了する。
【００５６】
ステップＳ３０３における判定の結果で、カスタムデータ（Ａ）がカバー２１に保持されている内容と一致すると判定された場合は、カスタムデータ（Ａ）のタイトルをグレーアウトオフと設定して（ステップＳ３０４）、カバー２１に保持されているカスタムデータ以外の設定情報と同様に、選択可能な状態で表示部１０４にそのタイトルを表示する（ステップＳ３０６）。このとき表示されるカスタムデータ（Ａ）のタイトルは、カバー２１に保持されているカスタムデータであることを示すために、色や文字を変えてもよい。
【００５７】
一方、ステップＳ３０３の処理手順において、カスタムデータ（Ａ）が接続中のカバー２１に保持されている内容と一致しないと判定された場合は、カスタムデータ（Ａ）のタイトルをグレーアウトオンと設定し（ステップＳ３０５）、選択することができない状態で表示部１０４に表示する（ステップＳ３０６）。また、選択画面に表示しないようにしてもよい。
【００５８】
なお、図１５では、ユーザが入力操作や選択操作をすることができないチェックボックスやテキストボックス、ボタンをグレーアウト表示する処理手順について説明したが、ユーザが入力操作や選択操作をすることができないチェックボックスやテキストボックス、ボタンを全く表示させないようにすることも考えられる。この場合には、ステップＳ３０５において、カスタムデータ（Ａ）のタイトルを非表示と設定し、表示部１０４に表示させないようにすればよい。
【００５９】
次に、カバー２１を接続した際におけるカスタムデータの表示方法及び選択方法の例について説明する。図１６〜図１８は、カスタムデータを表示、選択して、例えば着信音を設定する際の表示部１０４に表示される画面を示すものである。
【００６０】
カバー２１が携帯端末装置１１に装着されると、表示部１０４には、まず図１６に示すような、「メロディ」、「動画」、「画像」のいずれかのフォルダ（これらの選択肢を選択後に、さらに別の選択肢が階層的に表示部１０４に表示されるため、ここでは、「メロディ」、「動画」、「画像」のことを「メロディフォルダ」、「動画フォルダ」、「画像フォルダ」と称する）の選択を促す設定選択画面がデフォルト画面として表示される。
【００６１】
図１７（ａ）は、カバー２１が携帯端末装置１１に装着されることによって‘カバー’がフォルダとして追加されて表示されたカバー選択画面である。この画面でフォルダ‘カバー’を選択すると、そのフォルダ内に存在するカスタムデータの各種フォルダが表示され、図１７（ｂ）に示すような、「カスタムメロディ」、「カスタム動画」、「カスタム画像」、「ＬＥＤ」、「ＶＩＢ（バイブレーション）」、「絵文字」のいずれかのフォルダの選択を促すカスタムフォルダ選択画面が表示される。
【００６２】
次いで、図１７（ｂ）に示す画面の各種フォルダの中から、例えばフォルダ‘カスタムメロディ’を選択すると、図１７（ｃ）に示すように、フォルダ‘カスタムメロディ’に存在するメロディのデータ（カスタムメロディ１〜４）が表示されたデータ選択画面となり、いずれかのデータが選択可能な状態となる。そして、表示されたデータの中から、例えば‘カスタムメロディ１’を選択することにより、これが着信音として設定され、後述の図１８（ｃ）に示すような設定完了画面が表示される。
【００６３】
図１８は、カバー２１が携帯端末装置１１に装着された際に、既存フォルダにカバーのカスタムデータを追加して選択する場合の画面の例である。この場合は、図１８（ａ）に示すように、カバーが接続されても図１７（ａ）のカバーフォルダのような新規フォルダは表示されず、接続状態を示すアイコン１０４ａのみが表示される。
【００６４】
そして、図１８（ａ）の画面において、例えばフォルダ‘メロディ’を選択すると、図１８（ｂ）に示すような、「メロディ１」、「メロディ２」、「メロディ３」、「カスタムメロディ１」、「カスタムメロディ２」のいずれかの選択を促すデータ選択画面となり、表示されたデータの中から、例えば‘カスタムメロディ１’を選択することにより、これが着信音として設定され、図１８（ｃ）に示すような、着信音を設定したことを通知する設定完了画面が表示される。
【００６５】
ここまでは、カバー２１から取得したカスタムデータに基づいて携帯端末装置１１による処理内容（例えば、スピーカによる音出力内容、表示部に表示する画像や文字やアイコンなどの出力内容など）を設定し、制御することについて説明した。携帯端末装置１１が携帯端末装置１１自身によって実行すべき処理を制御する以外に、バイブレーション機能やＬＥＤによる発光機能などを実行する駆動部をカバー２１に設け、カバー２１から取得したカスタムデータに基づいてカバー２１による処理内容を携帯端末装置１１によって設定し、設定した処理内容を携帯端末装置１１がカバー２１に実行させるよう制御することも考えられる。図１９に、本発明の実施形態に係る携帯端末装置とカバーの他の構成を示すブロック図を示す。図１９に示すように、カバー２２は、ＣＰＵ２０３から入力される駆動信号に応じて各種機能を駆動させる駆動部２０４を備え、ＣＰＵ２０３は、外部インタフェース１０１、２０１を介して携帯端末装置１１からこの駆動信号（あるいはパターンデータ）が入力される構成である。このように構成されたカバー２２によれば、携帯端末装置１１から外部インタフェース２０１を介して送られる情報をＣＰＵ２０３で判断することができるとともに、この情報を基にしてカバー２２の変形や振動、ＬＥＤの点滅を制御することが可能となる。以下、カバー装着後の着信時における、携帯端末装置１１によるカバーが有する機能の制御処理手順について説明する。図２０は、携帯端末装置１１の着信時におけるカバー制御手順を説明するためのフローチャートである。
【００６６】
無線部１０５に着信があると、ＣＰＵ１０２は、着信通知処理を行って（ステップＳ５０１）、音声部１０６から着信音を鳴動させ、ユーザに着信があったことを報知する（ステップＳ５０２）。
【００６７】
次いで、後述するサブルーチンに基づくカバー制御処理を行う（ステップＳ５０３）。そして、ユーザによって着信応答の操作がなされると（ステップＳ５０４）、着信音の鳴動を停止するとともに（ステップＳ５０５）、カバー制御処理を停止して（ステップＳ５０６）、通話開始処理を行う（ステップＳ５０７）。
【００６８】
図２１は、図２０のフローチャートにおいて、ステップＳ５０３のサブルーチンにおける処理手順を示すフローチャートである。
【００６９】
ＣＰＵ１０２は、設定情報を参照し、この設定情報の中から、例えば図２２に示す、携帯端末装置１１の着信時の処理内容に関するパターンデータ（図２２では、着信音、ＬＥＤ発光パターン、バイブレーション振動パターン、表示すべき画像情報についてのコードからなるクラスファイルによって、パターンデータが記述されている）を取得する（ステップＳ６０１）。ＣＰＵ１０２は、取得した着信設定情報の中に、カバー２２に備わる機能を利用して着信をユーザに知らせるためのパターンデータ（以下、カバー２２に備わる機能を利用して着信をユーザに知らせるためのパターンデータのことを、カバー情報と称する）があるか否かを判定する（ステップＳ６０２）。ＣＰＵ１０２は、当該カバー情報があると判定すると、ステップＳ６０１の処理において取得したパターンデータの中にＬＥＤ点滅を制御するパターンデータがあるか否かを判定する（ステップＳ６０３）。一方、ステップＳ６０２の処理手順でカバー情報がないと判定された場合は、処理を終了する。
【００７０】
ステップＳ６０３における判定の結果、ＬＥＤ点滅を制御するパターンデータがある場合は、これをメモリ１０３から取得し（ステップＳ６０４）、続いて、ＶＩＢの振動を制御するパターンデータがあるか否かを判定する（ステップＳ６０５）。一方、ステップＳ６０３の処理手順でＬＥＤ点滅を制御するパターンデータがないと判定された場合はステップＳ６０５にスキップし、ＶＩＢの振動を制御するパターンデータがあるか否かを判定する。
【００７１】
ステップ６０６では、ＶＩＢの振動を制御するパターンデータをメモリ１０３から取得する。続いて、ＣＰＵ１０２は、ステップＳ６０４またはステップＳ６０６の処理において取得したパターンデータの出力先がカバー２２であるか否かを判定する（ステップＳ６０７）。一方、ステップＳ６０５の処理手順でＶＩＢの振動を制御するパターンデータがないと判定された場合は、ステップＳ６０７にスキップして、ステップＳ６０４の処理において取得したパターンデータの出力先がカバー２２であるか否かを判定する。
【００７２】
ステップＳ６０７における処理手順において、パターンデータの出力先がカバー２２であると判定された場合は、ＬＥＤ点滅及びＶＩＢの各制御、又はいずれかの制御をカバー２２の側で行うか否かを判定する（ステップＳ６０８）。そして、カバー２２側で制御を行うと判定された場合は、例えば、図２３に示すようなＬＥＤ発光パターンに関するパターンデータをカバー２２に向けて送出し（ステップＳ６０９）、カバー２２でＬＥＤ点滅及び、又はＶＩＢの各駆動制御を行う（ステップＳ６１０）。なお、カバー２２にＣＰＵ２０３を設けることによってパターンデータをＣＰＵ２０３で制御又は解析できる場合は、図２２に示す着信音、ＬＥＤ発光パターン、バイブレーション振動パターン、表示すべき画像情報についてのパターンデータ（ファイル）をそのまま送出することもできる。
【００７３】
一方、ステップＳ６０７の処理手順でパターンデータの出力先がカバー２２ではないと判定された場合は、携帯端末装置１１に予め実装されているＬＥＤ点滅及びＶＩＢの各パターンデータに基づいて制御処理を行い（ステップＳ６１１）、携帯端末装置１１のＬＥＤ点滅、及び、又はＶＩＢの駆動制御を行う（ステップＳ６１２）。
【００７４】
また、ステップＳ６０８における処理手順において、ＬＥＤ点滅及びＶＩＢの各制御、又はいずれかの制御をカバー２２の側で行わないと判定された場合は、携帯端末装置１１からカバー２２に設けられたＬＥＤ及びＶＩＢに対して、例えば、図２４に示すような、ＯＮ／ＯＦＦの駆動信号を送出し（ステップＳ６１３）、カバー２２はこの駆動信号によりＬＥＤ点滅及び、又はＶＩＢの駆動を行う（ステップＳ６１０）。
【００７５】
以上説明したように、このような本発明の実施形態に係る携帯端末装置１１によれば、筐体表面にカバー２１、２２を装着した際に、相互に接続された外部インタフェース１０１と外部インタフェース２０１を介して、カバー２１、２２のメモリ２０２に保持されているカスタムデータを取得し、これを参照することにより、待ち受け画像や着信音、操作音やアラーム等の出力音、メニューアイコンのデザイン、ＬＥＤの点滅パターン、各種アプリケーションに利用される文字のフォント種別等を設定情報としてユーザに選択可能に提示することができる。従って、装着したカバー２１、２２に対応した携帯端末装置１１の設定変更が容易になる。
【産業上の利用可能性】
【００７６】
本発明の携帯端末装置、およびカバーは、カバーの装着時に取得した情報を、ユーザに操作を強いることなく設定情報として反映させることができる効果を有し、携帯電話やＰＤＡ等の携帯端末装置に有用である。
【図面の簡単な説明】
【００７７】
【図１】本発明の実施形態に係る携帯端末装置とカバーの構成を示すブロック図
【図２】（ａ）本実施形態の携帯端末装置とカバーにおいて、各表面の一部をインタフェース接続部とする場合の構成を示す外観斜視図  （ｂ）本実施形態の携帯端末装置とカバーにおいて、各表面の一部をインタフェース接続部とする場合の構成を示す側断面図
【図３】（ａ）本実施形態の携帯端末装置とカバーにおいて、カバーを装着した際にこれを携帯端末装置に固定する部分をインタフェース接続部とする場合の構成を示す外観斜視図  （ｂ）本実施形態の携帯端末装置とカバーにおいて、カバーを装着した際にこれを携帯端末装置に固定する部分をインタフェース接続部とする場合の構成を示す側断面図
【図４】（ａ）本実施形態の携帯端末装置とカバーにおいて、ＳＤカードをインタフェース接続部とする場合の構成を示す外観斜視図  （ｂ）本実施形態の携帯端末装置とカバーにおいて、ＳＤカードをインタフェース接続部とする場合の構成を示す側断面図
【図５】（ａ）本実施形態の携帯端末装置とカバーにおいて、ＵＳＢコネクタをインタフェース接続部とする場合の構成を示す外観斜視図  （ｂ）本実施形態の携帯端末装置とカバーにおいて、ＵＳＢコネクタをインタフェース接続部とする場合の構成を示す側断面図
【図６】（ａ）本実施形態の携帯端末装置とカバーにおいて、ＲＦタグをインタフェース接続部とする場合の構成を示す外観斜視図  （ｂ）本実施形態の携帯端末装置とカバーにおいて、ＲＦタグをインタフェース接続部とする場合の構成を示す側断面図
【図７】本実施形態の携帯端末装置にカバーを装着した際の構成を示す外観斜視図
【図８】（ａ）本実施形態の携帯端末装置にカバーを装着した際におけるカスタム設定画面を示す図  （ｂ）本実施形態の携帯端末装置にカバーを装着した際におけるカスタム更新中の画面を示す図  （ｃ）本実施形態の携帯端末装置にカバーを装着した際におけるカスタム更新完了画面を示す図
【図９】（ａ）本実施形態の携帯端末装置におけるデフォルトのメニュー画面を示す図  （ｂ）本実施形態の携帯端末装置にカバーを装着した際におけるサンプル１のメニュー画面を示す図  （ｃ）本実施形態の携帯端末装置にカバーを装着した際におけるサンプル２のメニュー画面を示す図
【図１０】（ａ）本実施形態の携帯端末装置におけるデフォルトの待ち受け画面を示す図  （ｂ）本実施形態の携帯端末装置にカバーを装着した際におけるサンプル１の待ち受け画面を示す図
【図１１】（ａ）本実施形態の携帯端末装置におけるデフォルトの着信画面を示す図  （ｂ）本実施形態の携帯端末装置にカバーを装着した際におけるサンプル１の着信画面を示す図
【図１２】（ａ）本実施形態の携帯端末装置におけるデフォルトのメール作成画面を示す図  （ｂ）本実施形態の携帯端末装置にカバーを装着した際におけるサンプル１のメール作成画面を示す図
【図１３】本発明の実施形態に係る携帯端末装置とカバーの接続時におけるデータ取得処理手順を説明するためのシーケンス図
【図１４】本発明の実施形態に係る携帯端末装置とカバーの取り外し時におけるデータの取り扱い処理手順を説明するためのシーケンス図
【図１５】本実施形態の携帯端末装置において、カスタムデータ選択画面におけるグレーアウト表示の処理手順を説明するためのフローチャート
【図１６】本実施形態の携帯端末装置におけるデフォルトのカスタムデータ設定選択画面を示す図
【図１７】（ａ）本実施形態の携帯端末装置における新規カバーフォルダの追加によるカスタムデータ選択のカバーフォルダ選択画面を示す図  （ｂ）本実施形態の携帯端末装置における新規カバーフォルダの追加によるカスタムデータ選択のカスタムフォルダ選択画面を示す図  （ｃ）本実施形態の携帯端末装置における新規カバーフォルダの追加によるカスタムデータ選択のデータ選択画面を示す図
【図１８】（ａ）本実施形態の携帯端末装置における既存フォルダへのカスタムデータ追加によるフォルダ選択画面を示す図  （ｂ）本実施形態の携帯端末装置における既存フォルダへのカスタムデータ追加によるデータ選択画面を示す図  （ｃ）本実施形態の携帯端末装置における既存フォルダへのカスタムデータ追加によるデータ選択完了画面を示す図
【図１９】本発明の実施形態に係る携帯端末装置とカバーの他の構成を示すブロック図
【図２０】本発明の実施形態に係る携帯端末装置の着信時におけるカバー制御手順を説明するためのフローチャート
【図２１】本発明の実施形態に係る携帯端末装置の着信時におけるカバー制御処理手順を説明するためのフローチャート
【図２２】本発明の実施形態に係る携帯端末装置の着信時において、カバーから取得するデータの例を示す図
【図２３】本発明の実施形態に係る携帯端末装置の着信時におけるカバーのＬＥＤ及びＶＩＢを制御するためのパターンデータの例を示す図
【図２４】本発明の実施形態に係る携帯端末装置の着信時におけるカバーのＬＥＤ及びＶＩＢを制御するためのＯＮ／ＯＦＦ駆動信号の例を示す図
【符号の説明】
【００７８】
１１  携帯端末装置
２１、２２  カバー
３１  ＳＤカード
４１  メモリカード
５１  ＲＦタグ
６１  ＲＦ受信部
１０１、２０１  外部インタフェース
１０２、２０３  ＣＰＵ
１０３、２０２  メモリ
１０４  表示部
１０５  無線部
１０６  音声部
２０４  駆動部
【図１】
2007228275.tif 000003
【図２】
2007228275.tif 000004
【図３】
2007228275.tif 000005
【図４】
2007228275.tif 000006
【図５】
2007228275.tif 000007
【図６】
2007228275.tif 000008
【図７】
2007228275.tif 000009
【図８】
2007228275.tif 000010
【図９】
2007228275.tif 000011
【図１０】
2007228275.tif 000012
【図１１】
2007228275.tif 000013
【図１２】
2007228275.tif 000014
【図１３】
2007228275.tif 000015
【図１４】
2007228275.tif 000016
【図１５】
2007228275.tif 000017
【図１６】
2007228275.tif 000018
【図１７】
2007228275.tif 000019
【図１８】
2007228275.tif 000020
【図１９】
2007228275.tif 000021
【図２０】
2007228275.tif 000022
【図２１】
2007228275.tif 000023
【図２２】
2007228275.tif 000024
【図２３】
2007228275.tif 000025
【図２４】
2007228275.tif 000026